(57)【要約】【課題】複数種類のプリント設定におけるプリントを行う場合に、各プリント設定において最適な補正処理を画像データに対して行う。【解決手段】フィルムスキャナにより写真フィルムのコマ画像が読み取られると、６コマの画像を含むプレジャッジ画面がディスプレイに表示される。そして、プリント設定の選択が行われる１つの画像が指定されると、その指定画像に関する選択画面がディスプレイに表示される。選択画面では、プリント設定として指定画像のプリント後の画調を、カラー、モノクロ調及びセピア調の３種類の中から選択可能である。そして、選択画面において複数種類のプリント設定が選択された場合には、その画像データに対する補正量を入力するための補正画面がプリント設定毎にディスプレイに表示される。【選択図】図３
2007243592.tif 000002
【特許請求の範囲】
【請求項１】
所定画像に対応した画像データを記憶する記憶手段と、
所定画像を含み且つ所定画像に関するプリント設定を複数種類のプリント設定の中から選択するためのプリント設定選択画面をディスプレイに表示する第１の表示制御手段と、
前記プリント設定選択画面がディスプレイに表示された状態で２種類以上のプリント設定が選択された場合に、所定画像を含み且つ所定画像に対応した画像データに対する補正量を入力するための補正画面をプリント設定毎にディスプレイに表示する第２の表示制御手段と、
前記補正画面がディスプレイに表示された状態で入力された補正量に基づいて、所定画像に対応した画像データに対する補正処理をプリント設定毎に行う補正手段とを備えていることを特徴とする画像データ処理装置。
【請求項２】
前記第２の表示制御手段は、前記２種類以上のプリント設定のそれぞれに対応した複数の補正画面を同時にディスプレイに表示することを特徴とする請求項１に記載の画像データ処理装置。
【請求項３】
前記複数種類のプリント設定は、所定画像のプリント後の画調に関するものであることを特徴とする請求項１または２に記載の画像データ処理装置。
【請求項４】
前記複数種類のプリント設定に対応した画調には、カラー、モノクロ調、セピア調のうちの少なくとも１つに対応した画調が含まれていることを特徴とする請求項３に記載の画像データ処理装置。
【請求項５】
前記複数種類のプリント設定は、所定画像のプリント後のサイズに関するものであることを特徴とする請求項１または２に記載の画像データ処理装置。
【請求項６】
請求項１〜５のいずれか１項に記載の画像データ処理装置と、
前記補正手段でプリント設定毎に補正処理が行われた画像データに基づいてプリント設定毎にプリントを行うプリント装置とを備えていることを特徴とする写真処理装置。
【発明の詳細な説明】
【技術分野】
【０００１】
本発明は、画像データに対して補正処理を行う画像データ処理装置及びこれを備えた写真処理装置に関するものである。
【背景技術】
【０００２】
写真処理装置などのプリント装置では、写真フィルムのコマ画像をスキャニングすることで得られる画像データに基づいてプリントが行われるのが一般的である。ここで、カラープリントが行われる場合には、カラープリントに最適な条件でのスキャニングが行われることで、カラープリント用の画像データが得られる。ところで、プリント装置ではカラープリントが行われることが多いが、顧客がカラープリントだけでなく白黒の画像やセピア調の画像等のモノクローム調の画像のプリントを望む場合には、モノクローム調の画像のプリントが行われることもある。しかしながら、モノクローム調のプリントがカラープリント用の画像データに基づいて行われた場合には、良好なプリントを得ることができないことが多い。そこで、カラープリント用に最適化されているプリント装置において、モノクローム調の画像をプリントする場合には、モノクローム調の画像が適正にプリントされるように、最適状態からあえて条件設定をずらす方法がある（例えば、特許文献１参照）。
【特許文献１】特開２００１−１３８６０９号公報
【発明の開示】
【発明が解決しようとする課題】
【０００３】
かかるプリント装置では、白黒の画像がプリントされる場合にはスキャニングにより得られた画像データが白黒の画像データに変換され、セピア調の画像がプリントされる場合にはスキャニングにより得られた画像データがセピア調の画像データに変換される。このように、スキャニングにより得られた画像データは、白黒プリントが行われる場合とセピア調プリントが行われる場合とでは互いに異なる画像データに変換されてしまう。従って、同一の画像に関して、白黒プリント及びセピア調プリントの両方を行う場合には、その画像に関するスキャニングを２回行わなければならなくなる。このように、複数種類（ここでは、白黒プリント及びセピア調プリントの２種類）のプリント設定におけるプリントを行う場合には、その種類と同じ回数のスキャニングが必要になり、非常に手間がかかってしまう。
【０００４】
そこで、本発明の主な目的は、複数種類のプリント設定におけるプリントを行う場合に、各プリント設定において最適な補正処理を画像データに対して行うことができる画像データ処理装置及びこれを備えた写真処理装置を提供することである。
【課題を解決するための手段および発明の効果】
【０００５】
本発明の画像データ処理装置は、所定画像に対応した画像データを記憶する記憶手段と、所定画像を含み且つ所定画像に関するプリント設定を複数種類のプリント設定の中から選択するためのプリント設定選択画面をディスプレイに表示する第１の表示制御手段と、前記プリント設定選択画面がディスプレイに表示された状態で２種類以上のプリント設定が選択された場合に、所定画像を含み且つ所定画像に対応した画像データに対する補正量を入力するための補正画面をプリント設定毎にディスプレイに表示する第２の表示制御手段と、前記補正画面がディスプレイに表示された状態で入力された補正量に基づいて、所定画像に対応した画像データに対する補正処理をプリント設定毎に行う補正手段とを備えている。
【０００６】
この構成によると、所定の画像に関して複数種類のプリント設定を選択した場合には、その画像データに対する補正量を入力するための補正画面がプリント設定毎にディスプレイに表示される。従って、各プリント設定において最適な補正処理を画像データに対して行うことができる。また、複数種類のプリント設定と同じ回数のスキャニングを行う必要はなく、１回のスキャニングにより得られた画像データを用いて、複数種類のプリント設定におけるプリントを行うことが可能になる。
【０００７】
ここで、本発明において、「プリント設定」とは、例えばプリント後の画調やプリントサイズ等であるが、これらに限定されず、プリント設定の種類が異なる場合に、互いに異なる補正処理を画像データに対して行うのが好ましいものであればよい。また、本発明において、「補正画面をプリント設定毎にディスプレイに表示する」とは、１種類のプリント設定に対応した補正画面だけがディスプレイに表示され且つその補正画面がプリント設定毎に切り換わる場合や、複数種類のプリント設定にそれぞれ対応した複数の補正画面がディスプレイに同時に表示される場合を含んでいる。
【０００８】
本発明の画像データ処理装置では、前記第２の表示制御手段は、前記２種類以上のプリント設定のそれぞれに対応した複数の補正画面を同時にディスプレイに表示してもよい。
【０００９】
この構成によると、２種類以上のプリント設定における補正量の入力を並行して行えるので、操作性がよい。
【００１０】
本発明の画像データ処理装置では、前記複数種類のプリント設定は、所定画像のプリント後の画調に関するものであってもよい。
【００１１】
本発明の画像データ処理装置では、前記複数種類のプリント設定に対応した画調には、カラー、モノクロ調、セピア調のうちの少なくとも１つに対応した画調が含まれていてもよい。
【００１２】
本発明の画像データ処理装置では、前記複数種類のプリント設定は、所定画像のプリント後のサイズに関するものであってもよい。
【００１３】
本発明の写真処理装置は、上述のいずれかの画像データ処理装置と、前記補正手段でプリント設定毎に補正処理が行われた画像データに基づいてプリント設定毎にプリントを行うプリント装置とを備えている。
【００１４】
この構成によると、各プリント設定において最適な補正処理が行われた画像データに基づいてプリントが行われるので、全てのプリント設定において良好なプリントを得ることができる。
【発明を実施するための最良の形態】
【００１５】
以下、本発明の実施の形態について、図面を参照しつつ説明する。図１は、本発明の実施の形態に係る写真処理装置の概略構成を示す図である。図２は、図１の写真処理装置の概略構成を示すブロック図である。
【００１６】
図１に示す写真処理装置１は、写真フィルム２から画像データを読み取り、読み取った画像データに画像処理を行う画像データ処理装置１０と、画像処理が行われた後の画像データに基づいてプリント（露光処理、現像処理などの種々の処理を含む）を行うプリント装置２０とを有している。
【００１７】
画像データ処理装置１０は、写真フィルム２のコマ画像の情報を光電変換によりデジタル信号化して読み取るフィルムスキャナ１１と、各種情報を表示するＣＲＴ型のディスプレイ１２と、画像処理及び各種処理を実現するため汎用コンピュータを含む制御ユニット３０とを有している。また、制御ユニット３０には、各種情報を入力するためのキーボード１３と、マウス１４と、ＣＤ、ＭＯ、ＦＤ等のディスク型のメディアからの情報の取得を行うメディアドライブ１５とが接続されている。
【００１８】
フィルムスキャナ１１は、発光ダイオードやハロゲンランプ等を有する光源部１１ａと、光源部１１ａの上方に配置されたズームレンズ１１ｂと、ズームレンズからの画像情報をＲ（赤）、Ｇ（緑）、Ｂ（青）の三原色に色分解した画像データとして取り込むラインＣＣＤ型の光電変換部１１ｃとを有している。フィルムスキャナ１１では、写真フィルム２のスキャニングを行う場合には、その写真フィルム２のサイズに適合したフィルムキャリア１１ｄを光源部１１ａの上面に装着してスキャニングを開始することにより、写真フィルム２を副走査方向（長手方向）に搬送する作動と同期して光電変換部１１ｃにおいて写真フィルム２の画像情報を主走査方向に沿ってデジタル信号化して取り込む処理が行われ、取り込まれた画像データは制御ユニット３０に転送され保存される。
【００１９】
また、制御ユニット３０には、写真処理装置１に係る各種動作の制御プログラムやデータなどが格納されたＲＯＭ、写真処理装置１の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図２に示すように、画像データ記憶部３１と、表示制御部３２と、プリント条件記憶部３３と、補正部３４と、プリント制御部３５とが形成されている。
【００２０】
画像データ記憶部３１は、フィルムスキャナ１１で読み取られた画像データ及び補正部３４で補正処理が行われた後の画像データを記憶する。ここで、後述するように、補正部３４では、画像データに対する補正処理はプリント設定毎に行われるので、画像データ記憶部３１には、補正処理が行われた後の画像データはプリント設定毎に記憶されている。
【００２１】
表示制御部３２は、ディスプレイ１２に表示される表示内容つまり表示画面の内容を制御する。ここで、写真処理装置１では、プリント装置２０でのプリントが行われる前に、各画像のプリント枚数の指定などの操作を行う必要があるので、表示制御部３２は、画像データ記憶部３１に記憶された画像データに対応した画像を含むプレジャッジ画面（図４参照）をディスプレイ１２に表示する。また、表示制御部３２は、各画像のプリント後の画調に関するプリント設定を選択するための選択画面５０（図５参照）、及び、各プリント設定における色補正などを行うための補正画面６０（図６及び図７参照）をディスプレイ１２に表示する。
【００２２】
本実施の形態では、プレジャッジ画面４０は、後述するように、６コマの画像が表示された画面であり、各画像の下方に配置された複数のボタン４１を操作したり、プリント枚数入力ボックス４２にプリント枚数を入力することによって、各画像に関するプリント条件の入力操作が可能になっている。そして、画像データ記憶部３１に記憶された画像データに対応した画像が１つのプレジャッジ画面４０に表示できない場合には、互いに異なる画像が表示されたプレジャッジ画面４０に切り換えながら、１つのオーダーに含まれる全ての画像に関するプリント枚数の指定などの操作が行われる。
【００２３】
選択画面５０は、プレジャッジ画面４０がディスプレイ１２に表示された状態で、６コマの画像のうちの１コマの画像が指定された場合に表示される画面である。この選択画面５０は、プレジャッジ画面４０で指定された画像の拡大画像５１と、指定画像のファイル番号を表示する番号表示部５２と、複数種類のプリント設定の中からプリント設定を選択するためのプリント設定選択部５４と、プリントボタン５５と、「ＹＥＳ：ＯＫ」ボタン５６と、「ＮＯ：キャンセル」ボタン５７とを含んでおり、指定画像に関するプリント設定の選択操作が可能になっている。
【００２４】
本実施の形態では、プリント設定選択部５４において、各画像のプリント後の画調に関するプリント設定が選択可能であり、カラー、モノクロ調及びセピア調の３種類のプリント設定の中から１〜３種類のプリント設定を選択できる。具体的には、プリント設定選択部５４には、カラー、モノクロ調及びセピア調の３種類のプリント設定にそれぞれ対応した円形の選択枠５４ａ、５４ｂ、５４ｃが設けられており、プリント設定の選択枠５４ａ〜５４ｃ内に黒丸が表示されることにより、そのプリント設定が選択された状態になる。図５では、モノクロ調及びセピア調の２種類のプリント設定が選択された状態が図示されている。また、選択画面５０がディスプレイ１２に表示された状態で、プリントボタン５５が操作されると、プリント設定選択部５４で選択されたプリント設定において、選択画面５０に表示された拡大画像５１のプリントが行われる。但し、選択画面５０でのプリント実行は、その他のインデックスプリント、メディア出力の画像の選択条件には影響しない。
【００２５】
補正画面６０は、選択画面５０がディスプレイ１２に表示された状態で、カラー、モノクロ調及びセピア調の３種類のプリント設定の少なくとも１つが選択された場合に表示される画面である。この補正画面６０は、プレジャッジ画面４０で指定された画像の拡大画像６１と、指定画像のファイル番号を表示する番号表示部６２と、指定画像の色補正を行うための色補正ボタン６３と、選択画面５０において選択された複数種類のプリント設定のいずれか１つのプリント設定を表示するプリント設定表示部６４と、プリントボタン６５と、「ＹＥＳ：ＯＫ」ボタン６６と、「ＮＯ：キャンセル」ボタン６７とを含んでおり、指定画像に対応した画像データに対する補正量の入力操作が可能になっている。具体的には、プリント設定表示部６４には、カラー、モノクロ調及びセピア調の３種類のプリント設定にそれぞれ対応した円形の表示枠６４ａ、６４ｂ、６４ｃが設けられており、表示枠６４ａ〜６４ｃのいずれか１つに黒丸が表示されることにより、その補正画面６０がどのプリント設定に対応した補正画面であるかを示すようになっている。つまり、図６は、モノクロ調のプリント設定に対応した補正画面であることを示し、図７は、セピア調のプリント設定に対応した補正画面であることを示す。また、補正画面６０がディスプレイ１２に表示された状態で、プリントボタン６５が操作されると、各補正画面６０でのプリント設定において、その時点で設定されている補正内容で、その補正画面６０に表示された拡大画像６１のプリントが行われる。従って、補正量の入力操作を行いながら、適宜、プリント後の画像を確認することができる。但し、補正画面６０でのプリント実行は、その他のインデックスプリント、メディア出力の画像の選択条件には影響しない。
【００２６】
プリント条件記憶部３３は、プレジャッジ画面４０がディスプレイ１２に表示された状態で入力された各画像のプリント枚数等の設定や、選択画面５０がディスプレイ１２に表示された状態で選択された各画像に関するプリント設定や、補正画面６０がディスプレイ１２に表示された状態で入力された色補正に関する補正量を記憶する。
【００２７】
補正部３４は、補正画面６０で入力された色補正に関する補正量に基づいて、各画像データに対する補正を行う。ここで、１つの画像に関して２種類以上のプリント設定が選択された場合には、補正部３４は、各プリント設定に関する補正画面６０で入力された補正量に基づいて、プリント設定毎に、画像データに対する補正を行う。従って、この場合は、補正部３４では、選択されたプリント設定の種類と同じ数の補正処理後の画像データが作成されることになる。
【００２８】
プリント制御部３５は、プリント条件記憶部３３に記憶されたプリント条件に基づいてプリントが行われるようにプリント装置２０を制御する。
【００２９】
次に、写真フィルムの読み取りからプリントまでの手順について、図３を参照して説明する。図３は、写真フィルムの読み取りからプリントまでの手順を示すフローチャートである。
【００３０】
まず、フィルムスキャナ１１により写真フィルム２のコマ画像が読み取られる（ステップＳ１０１）と、読み取られた画像データがオーダー毎に画像データ記憶部３１に記憶される（ステップＳ１０２）。すると、６コマの画像を含むプレジャッジ画面４０がディスプレイ１２に表示される（ステップＳ１０３）。その後、プレジャッジ画面４０の各画像の下方に配置された複数のボタン４１が操作されたり、枚数入力ボックス４２にプリント枚数が入力されると共に、各画像に関するプリント設定が選択されることによって、各画像に関するプリント条件の設定が行われる
【００３１】
まず、各画像のプリント設定の選択を行うか否かが判断される（ステップＳ１０４）。プレジャッジ画面４０がディスプレイ１２に表示された状態で、図４に示すように、マウス１４によって、カーソルを６個の画像のいずれかの上に移動させ、クリック操作を行うと、カーソルのある画像の枠が太線に変わる。図４では、ファイル番号００１の画像の枠が太線に変わった状態が図示されている。
【００３２】
ここで、各画像のプリント設定の選択を行う場合（Ｓ１０４：ＹＥＳ）には、６個の画像のいずれか１つの枠が太線になった状態で、ダブルクリック操作が行われることにより、プリント設定の選択が行われる１つの画像が指定される（ステップＳ１０５）。すると、プレジャッジ画面４０で指定された画像に関する選択画面５０がディスプレイ１２に表示される（ステップＳ１０６）。
【００３３】
そして、指定画像に関する選択画面５０がディスプレイ１２に表示された状態で、図５に示すように、マウス１４によって、プリント設定選択部５４のカラー、モノクロ調及びセピア調の３種類の選択枠５４ａ〜５４ｃに黒丸を表示することにより、プリント設定の選択が行われる（ステップＳ１０７）。ここで、選択画面５０では、カーソルが選択枠５４ａ〜５４ｃを示す状態でクリック操作が行われることにより、黒丸の表示及び消去が交互に繰り返される。
【００３４】
その後、プリント設定の選択が終了したか否かが繰り返し判断される（ステップＳ１０８）。ここで、選択画面５０がディスプレイ１２に表示された状態で、プリント設定の選択が終了し、「ＹＥＳ：ＯＫ」ボタン５６が操作されると（Ｓ１０８：ＹＥＳ）、選択画面５０で選択されたプリント設定に関する補正画面６０がディスプレイ１２に表示される（ステップＳ１０９）。そして、補正画面６０がディスプレイ１２に表示された状態で、マウス１４によって、色補正ボタン６３が操作されることにより、色補正に関する補正量が入力される（ステップＳ１１０）。ここで、補正画面６０では、色補正ボタン６３に対する操作に応じてシュミレート画像である拡大画像６１の色が変化するので、拡大画像６１を確認しながら色補正ボタン６３に対する操作が行われる。
【００３５】
その後、１種類のプリント設定に関する補正画面６０における補正量の入力が終了したか否かが繰り返し判断される（ステップＳ１１１）。ここで、補正画面６０がディスプレイ１２に表示された状態で、補正量の入力が終了し、「ＹＥＳ：ＯＫ」ボタン６６が操作されると（Ｓ１１１：ＹＥＳ）、その他のプリント設定が選択されたか否かが判断される（ステップＳ１１２）。ここで、その他のプリント設定が選択されている場合（Ｓ１１２：ＹＥＳ）は、ステップＳ１０９に戻って、その他のプリント設定に関する補正画面６０がディスプレイ１２に表示される。一方、その他のプリント設定が選択されていない場合（Ｓ１１２：ＮＯ）は、ステップＳ１０３に戻って、プレジャッジ画面４０がディスプレイ１２に表示された状態に戻る。
【００３６】
ところで、各画像のプリント設定の選択を行わない場合（Ｓ１０４：ＮＯ）には、プリント条件の設定が終了したか否かが判断される（ステップＳ１１３）。ここで、プレジャッジ画面４０がディスプレイ１２に表示された状態で、プリント条件の設定が終了し、「完了」ボタン４３が操作されると（Ｓ１１３：ＹＥＳ）、プリントの準備が完了するので、プリント装置２０での各画像のプリントが行われる（ステップＳ１１４）。一方、プリント条件の設定が終了していない場合（Ｓ１１３：ＮＯ）、プレジャッジ画面４０がディスプレイ１２に表示された状態で、プリント条件の設定が引き続き行われる。
【００３７】
本実施の形態では、ファイル番号００１の画像に関して、図５に示す選択画面５０では、モノクロ調及びセピア調の２種類のプリント設定が選択されているので、ディスプレイ１２には、まず、図６に示すモノクロ調のプリント設定に対応した補正画面６０ａが表示され、モノクロ調の画像データに対して色補正に関する補正量が入力される。その後、図７に示すセピア調のプリント設定に対応した補正画面６０ｂが表示され、セピア調の画像データに対して色補正に関する補正量が入力される。このようにして、ファイル番号００１の画像に関して、プリント設定の選択や色補正に関する補正量の入力が終了すると、ファイル番号００１以外の画像に関して、プリント設定の選択や色補正に関する補正量の入力が行われる。
【００３８】
以上説明したように、本実施の形態の写真処理装置１では、例えばファイル番号００１の画像に関して複数種類の画調を選択した場合には、その画像データに対する補正量を入力するための補正画面６０が画調毎にディスプレイ１２に表示される。従って、各画調において最適な補正処理を画像データに対して行うことができる。また、複数種類の画調と同じ回数のスキャニングを行う必要はなく、１回のスキャニングにより得られた画像データを用いて、複数種類の画調におけるプリントを行うことが可能になる。
【００３９】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、モノクロ調のプリント設定に対応した補正画面６０ａと、セピア調のプリント設定に対応した補正画面６０ｂとが別々にディスプレイ１２に表示されているが、図８に示すように、補正画面６０ｃが、モノクロ調のプリント設定に対応した補正画面７０と、セピア調のプリント設定に対応した補正画面７５とが同時にディスプレイ１２に表示されてもよい。この場合、補正画面７０は、拡大画像７１と、プリント設定表示部７２と、モノクロ調の画像の色補正ボタン７３とを含んでおり、補正画面７５は、拡大画像７６と、プリント設定表示部７７と、セピア調の画像の色補正ボタン７８とを含んでいる。
【００４０】
また、上述の実施の形態では、選択画面５０において、各画像のプリント後の画調が、カラー、モノクロ調及びセピア調の３種類の中から選択可能であるが、その他の画調が選択可能であってもよい。その他の画調には、例えば絵画調やぼかし処理が行われたものがある。
【００４１】
また、上述の実施の形態では、補正画面６０では、色補正に関する補正量の入力だけが行われているが、その他の補正量の入力が行われてもよい。
【００４２】
また、上述の実施の形態では、選択画面５０において、プリント設定として、各画像のプリント後の画調が選択可能であるが、その他のプリント設定が選択可能であってもよい。従って、選択画面において、プリント設定として、各画像のプリントサイズが選択可能であってもよい。図９には、プリントサイズが選択可能である選択画面５０ａが図示されている。ここでは、プリント設定選択部５８において、各画像のプリントサイズに関するプリント設定が選択可能であり、Ｌサイズ、２Ｌサイズ及びパノラマサイズの３種類のプリント設定の中から１〜３種類のプリント設定を選択できる。そして、補正画面がプリントサイズ毎にディスプレイに表示されるので、各プリントサイズにおいて最適な補正処理を画像データに対して行うことができる。
【図面の簡単な説明】
【００４３】
【図１】本発明の実施の形態に係る写真処理装置の概略構成を示す図である。
【図２】図１の写真処理装置の概略構成を示すブロック図である。
【図３】写真フィルムの読み取りからプリントまでの手順を示すフローチャートである。
【図４】ディスプレイの表示画面の一例を示す図である。
【図５】ディスプレイの表示画面の一例を示す図である。
【図６】ディスプレイの表示画面の一例を示す図である。
【図７】ディスプレイの表示画面の一例を示す図である。
【図８】ディスプレイの表示画面の一例を示す図である。
【図９】ディスプレイの表示画面の一例を示す図である。
【符号の説明】
【００４４】
１  写真処理装置
１０  画像データ処理装置
２０  プリント装置
３１  画像データ記憶部（記憶手段）
３２  表示制御部（第１の表示制御手段；第２の表示制御手段）
３３  プリント条件記憶部
３４  補正部（補正手段）
３５  プリント制御部
【図１】
2007243592.tif 000003
【図２】
2007243592.tif 000004
【図３】
2007243592.tif 000005
【図４】
2007243592.tif 000006
【図５】
2007243592.tif 000007
【図６】
2007243592.tif 000008
【図７】
2007243592.tif 000009
【図８】
2007243592.tif 000010
【図９】
2007243592.tif 000011